(57)【要約】【課題】１枚の蓄積性蛍光体シートを収容したカセッテを用いて、放射線エネルギーを変換した放射線画像情報を記録可能とする。【解決手段】カセッテ１２は、カバーパネル２４とバックパネル２６との間に蓄積性蛍光体シートが収容され、カセッテ１４は、カバーパネルとフィルタパネル２８との間に蓄積性蛍光体シートが収容されている。組カセッテ１０は、カセッテ１４のフィルタパネルとカセッテ１２のカバーパネルが対向されて重ねられクリップ１６によって連結されて一体化されている。ここで、フィルタパネルは、銅などの重金属が用いられており、これにより、カセッテ１４側から放射線が照射されることにより、カセッテ１４内の蓄積性蛍光体シートには、この放射線画像情報が記録され、カセッテ１２内の蓄積性蛍光体シートには、フィルタパネルによって放射線エネルギー変換が施された放射線画像情報が記録される。【選択図】図１
2010078672.tif 000002
【特許請求の範囲】
【請求項１】
矩形箱体形状に形成された筐体内に蓄積性蛍光体シートが収容された第１のカセッテと、
矩形箱体形状の筐体を形成する第１のパネルとの間に蓄積性蛍光体シートが収容されると共に、透過される前記放射線の放射エネルギーを変換する第２のパネルが設けられた第２のカセッテと、
前記第２のカセッテの前記第２のパネルが前記第１のカセッテに対向された状態で前記第１のカセッテと前記第２のカセッテとを連結する連結手段と、
を含むカセッテ。
【請求項２】
前記連結手段が、前記第１のカセッテ及び前記第２のカセッテを収容する枠体である請求項１に記載のカセッテ。
【請求項３】
矩形箱体形状に形成された筐体内に蓄積性蛍光体シートが収容された第１のカセッテと、
枠体内に複数の前記第１のカセッテを重ねて収容して連結する連結手段と、
前記連結手段の前記枠体に設けられて、枠体内に収容される前記第１のカセッテの間に介在される放射線エネルギー変換用フィルタと、
を含むカセッテ。
【発明の詳細な説明】
【技術分野】
【０００１】
本発明は、放射された放射線に応じた放射線画像情報が記録される蓄積性蛍光体シートが収容されたカセッテに関する。
【背景技術】
【０００２】
蓄積性蛍光体からなる層を有するシート（以下、蓄積性蛍光体シートとする）を用いることにより、人体アドの被写体を透過した放射線又は被写体から発せられる放射線の放射線画像情報の記録が可能となっている。
【０００３】
放射線画像情報が記録された蓄積性蛍光体シートは、レーザ光などの励起光が照射されることにより蓄積されている放射線画像情報に応じた輝尽発光光が生じる。ここから、放射線画像情報が記録された蓄積性蛍光体シートへ、励起光を走査しながら照射して、蓄積性蛍光体シートの輝尽発光光を時系列的に読み取って画像信号を得ることにより、この画像信号を用いて写真感光材料の記録材料、ＣＲＴなど表示手段上で可視画像として再現することができる。
【０００４】
ところで、蓄積性蛍光体シートは、遮光性を有すると共に放射線の透過が可能なカセッテに１枚ずつ収容されて用いられ、画像情報読取り再生装置などで放射線画像情報の読み取りを行うときには、このカセッテから取り出される。
【０００５】
カセッテから取り出した蓄積性蛍光体シートを搬送する方法としては、例えば、磁力を用いて搬送する提案がなされている（例えば、特許文献１参照）。
【０００６】
また、蓄積性蛍光体シートをカセッテの筐体を形成するパネルに貼り付けた状態で搬送する提案がなされている（特許文献２参照）。
【０００７】
一方、放射線に対して吸収特性を持つ材質で形成されたフィルタ（以下、放射線エネルギー変換用フィルタとする）を用いることにより、同一の被写体を通過した放射線から異なる放射線画像情報を記録することができる。これにより、２枚の蓄積性蛍光体シートの間に、放射線エネルギー変換用フィルタを配置することにより、被写体を透過したままの高圧の放射線画像情報と、被写体を透過し、さらに、放射線エネルギー変換用フィルタを通過した低圧の放射線画像情報を記録することができる。
【特許文献１】特開平１１−３０５３６３号公報
【特許文献２】特開２００２−１５６７１６号公報
【発明の開示】
【発明が解決しようとする課題】
【０００８】
本発明は上記事実に鑑みてなされたものであり、１枚の蓄積性蛍光体シートを収容しながら、放射線エネルギーを変換した放射線画像情報を記録可能とするカセッテを提供することを目的とする。
【課題を解決するための手段】
【０００９】
上記目的を達成するための本発明のカセッテは、矩形箱体形状に形成された筐体内に蓄積性蛍光体シートが収容された第１のカセッテと、矩形箱体形状の筐体を形成する第１のパネルとの間に蓄積性蛍光体シートが収容されると共に、透過される前記放射線の放射エネルギーを変換する第２のパネルが設けられた第２のカセッテと、前記第２のカセッテの前記第２のパネルが前記第１のカセッテに対向された状態で前記第１のカセッテと前記第２のカセッテとを連結する連結手段と、を含む。
【００１０】
この発明によれば、第２のカセッテの筐体を形成する第２のパネルに放射線エネルギー変換用フィルタの機能を持たせ、この第２のカセッテと第１のカセッテとを重ね連結手段によって連結する。
【００１１】
これにより、放射線が照射されることにより、第１又は第２のカセッテの一方に収容している蓄積性蛍光体シートに、照射された放射線に応じた放射線画像情報が記録され、また、第１又は第２のカセッテの他方に収容している蓄積性蛍光体シートに、その放射線に対して放射線エネルギーの変換を行った放射線画像情報の記録が可能となる。
【００１２】
このようなカセッテは、前記連結手段が、前記第１のカセッテ及び前記第２のカセッテを収容する枠体を用いることができる。
【００１３】
また、本発明は、矩形箱体形状に形成された筐体内に蓄積性蛍光体シートが収容された第１のカセッテと、枠体内に複数の前記第１のカセッテを重ねて収容して連結する連結手段と、前記連結手段の前記枠体に設けられて、枠体内に収容される前記第１のカセッテの間に介在される放射線エネルギー変換用フィルタと、を含む。
【００１４】
この発明では、２つの第１のカセッテを枠体に収容して連結する。この枠体には、放射線エネルギー変換用フィルタが設けられており、２つの第１のカセッテが収容されることにより、このカセッテの間に放射線エネルギー変換用フィルタが配置される。
【００１５】
これにより、照射された放射線に応じた放射線画像情報及び、放射線エネルギー変換がなされた放射線画像情報を記録することができる。
【００１６】
このような本発明が適用される第１及び愛２のカセッテは、蓄積性蛍光体シートを挟んで対向されるパネルが分割可能であることが好ましく、これにより、蓄積性蛍光体シートに記録された放射線画像情報の読み取りが容易となる。
【発明の効果】
【００１７】
以上説明したように本発明によれば、それぞれに蓄積性蛍光体シートが収容された第１及び第２のカセッテを重ねて、連結手段によって連結する。これにより、照射された放射線に応じた放射線画像情報と、放射線エネルギー変換された放射線画像情報を記録することができる。
【発明を実施するための最良の形態】
【００１８】
以下、図面を参照して本発明の実施の形態の一例を詳細に説明する。
【００１９】
〔第１の実施の形態〕
図１には、第１の実施の形態に係るカセッテ１０の概略構成を示している。このカセッテ１０は、第１のカセッテとされるカセッテ１２と、第２のカセッテとされるカセッテ１４とが重ね合わせられて、連結部材として設けているクリップ１６によって連結された所謂組カセッテとなっている（以下、組カセッテ１０とする）。カセッテ１２、１４及びカセッテ１２、１４を連結した組カセッテ１０は、エネルギーサブストラクション用となっている。
【００２０】
なお、カセッテ１２、１４の基本的構成は同じであり、以下では、カセッテ１２、１４を併記して説明する。また、以下では、矢印Ｆ方向を筐体１２の前面側、矢印Ｕ方向を筐体１２の上方側とし、矢印Ｗ方向を筐体１２の幅方向として説明する。
【００２１】
図２（Ａ）には、カセッテ１２の概略構成が示されており、図２（Ｂ）には、カセッテ１４の概略構成が示されている。カセッテ１２は、矩形箱体形状の筐体１８を備え、カセッテ１４は、同形状の筐体２０を備えている。筐体１８、２０のそれぞれには、蓄積性蛍光体シート２２が収容されている。
【００２２】
この蓄積性蛍光体シート２２としては、任意のサイズを適用することができ、筐体１８，２０は、この蓄積性蛍光体シート１４のサイズに応じた大きさ及び形状となっている。
【００２３】
蓄積性蛍光体シート２２には、蓄積性蛍光体を用いた層（蓄積性蛍光体層、図示省略）が設けられている。蓄積性蛍光体シート２２は、被写体を透過した放射線又は被写体から発せられる放射線が照射されることにより、放射線が蓄積性蛍光体に吸収され、照射された放射線照射された応じた放射線画像情報が記録される。また、蓄積性蛍光体は、レーザ光などの励起光が照射されることにより、吸収されている放射線エネルギーを蛍光として放出する輝尽発光を生じる。
【００２４】
ここから、蓄積性蛍光体シート２２は、放射線画像情報が記録された後、励起光が走査されながら照射され、これにより発せられる輝尽発光光が時系列的に読み取られることにより放射線画像情報に応じた電気信号が取得される。この電気信号に対して所定の画像処理が施されることにより、写真感光材料などの記録媒体、ＣＲＴなどの表示手段に、可視画像として表される画像データが得られる。
【００２５】
カセッテ１２の筐体１８は、カバーパネル２４とバックパネル２６とを備えている。また、カセッテ１４の筐体２０は、第１のパネルとされるカバーパネル２４を備えると共に、バックパネル２６に換えて、第２のパネルとされるフィルタパネル２８を備えている。カバーパネル２４には、筐体１８、２０の幅方向の両側に、バックパネル２６又はフィルタパネル２８側へ向けて折曲された形状の側壁３０が形成されている。また、バックパネル２６及びフィルタパネル２８には、筐体１８、２０の上下方向の両側に、カバーパネル２４へ向けて折曲された形状で立壁３２が形成されている。
【００２６】
これにより、カセッテ１２では、カバーパネル２４とバックパネル２６とを重ね合わせることより、内部が遮光された筐体１８が形成され、カセッテ１４では、カバーパネル２４とフィルタパネル２８とを重ね合わせることより、内部が遮光された筐体２０が形成される。また、筐体１８、２０のそれぞれでは、カバーパネル２４を外すことにより内部が開放される。なお、カバーパネル２４とバックパネル２６及びフィルタパネル２８は、分割可能であれば任意の連結構造を適用することができる。
【００２７】
筐体１８を形成するカバーパネル２４とバックパネル２６及び、筐体２０を形成するカバーパネル２４は、放射線エネルギーに対する吸収係数が低く、放射線が透過するカーボン（Ｃ）などを用いて形成されている。なお、カバーパネル２４及びバックパネル２６は、これに限らず、ポリプロピレンなどの樹脂材など、放射線エネルギーに対する吸収係数が低い材質であれば任意の材質を適用することができる。
【００２８】
これにより、カセッテ１２、１４では、筐体１８、２０内に蓄積性蛍光体シート２２が収容された状態で、例えば、カバーパネル２４側から放射線が照射されることにより、この放射線に応じた放射線画像情報が蓄積性蛍光体シート２２に記録される。
【００２９】
また、カセッテ１２、１４は、バックパネル２６又はフィルタパネル２８からカバーパネル２４を外すことにより、蓄積性蛍光体シート２２がバックパネル２６又はフィルタパネル２８上に保持された状態で露出される。この状態で、蓄積性蛍光体シート２２を筐体１８、２０の幅方向に沿って移動することにより、蓄積性蛍光体シート２２を取り出すことができる。
【００３０】
これにより、蓄積性蛍光体シート２２に記録された放射線画像情報の読取りが可能となる。また、蓄積性蛍光体シート２２は、放射線画像情報が消去された後に、バックパネル２６又はフィルタパネル２８上に戻されることにより、新たな放射線画像情報の記録が可能となる。なお、蓄積性蛍光体シート２２に記録された放射線画像情報を読み取るとき及び、放射線画像情報を消去するときには、蓄積性蛍光体シート２２をバックパネル２６又はフィルタパネル２８上に保持した状態で行うものであっても良い。
【００３１】
ところで、カセッテ１２、１４は、単体で使用可能となっているが、組カセッテ１０では、このカセッテ１２、１４を重ねて連結して使用する。これにより、２つのカセッテ１２、１４のそれぞれに収容されている蓄積性蛍光体シート２２に、同じ被写体を透過した放射線に基づいた放射線画像情報の記録が可能となっている。
【００３２】
図１に示されるように、カセッテ１２、１４の連結に用いるクリップ１６は、連結板３４から対で突出されて爪部３６が形成され、これにより、略コ字状となっている。クリップ１６は、爪部３６の間にカセッテ１２の筐体１８とカセッテ１８の筐体２０とを挟んで挟持する。なお、本実施の形態では、筐体１８、２０の上端、下端及び幅方向の両端をクリップ１６によって挟持して保持するようにしている。
【００３３】
なお、このクリップ１６には、爪部３６の先端に突起を形成し、この突起に対向してカバーパネル２４、バックパネル２６及びフィルタパネル２８に浅溝を係止し、突起を浅溝に入り込ませて挟持するなどの構成を適用することができる。
【００３４】
一方、銅などの重金属は、カーボンなどに比べて、放射線エネルギーの対する吸収係数が大きく、放射線に対して吸収性を有している。図３には、試料の一例として銅（Ｃｕ）と、カーボン（Ｃ：炭素）とを適用し、銅及びカーボンの放射線エネルギーに対する吸収係数を示している。
【００３５】
各試料においては、厚さが厚くなるほど放射線の吸収量が増加するのが一般的となっている。また、カーボンは、銅に比べて吸収係数が小さく、放射線が透過し易い。
【００３６】
また、銅などの原子には、Ｋ殻の光電効果によって放射線エネルギーの変化に対して吸収係数が急激に変化する領域（以下、Ｋ吸収端とする）がある。すなわち、放射線エネルギーが増加することにより吸収係数が徐々に低くなるが、放射線エネルギーが所定値に達すると、吸収係数が急激に増加する。このときに、原子（原子番号）などによってＫ吸収端が異なる。
【００３７】
一般に、蓄積性蛍光体シート２２には、放射線エネルギーが連続した放射線が照射されるが、この放射線が銅などを通過することにより、Ｋ吸収端を挟んで放射線エネルギーが大きく変化する。
【００３８】
ここから、筐体１２では、Ｃｕなどの重金属を用いてフィルタパネル２８を形成している。これにより、カセッテ１４では、フィルタパネル２８を放射線エネルギー変換用フィルタとして用いて、この放射線エネルギー変換用フィルタ（フィルタパネル２８）を通過することにより放射線エネルギー変換された放射線に基づいた放射線情報画像を蓄積性蛍光体シート２２に形成することができる。
【００３９】
ここで、組カセッテ１０では、カセッテ１４のフィルタパネル２８をカセッテ１２に対向して配置した状態で、カセッテ１２、１４が連結されている。これにより、組カセッテ１０では、カセッテ１２、１４の一方に収容している蓄積性蛍光体シート２２に、照射される放射線に応じた放射線画像情報を、他方にフィルタパネル２８を通過することにより放射線エネルギー変換された放射線画像情報が記録される。
【００４０】
ここで、組カセッテ１０を用いた蓄積性蛍光体シート２２への放射線画像情報の記録を説明する。
【００４１】
第１の実施の形態に適用した組カセッテ１０では、カセッテ１２のカバーパネル２４、バックパネル２６及び、カセッテ１４のカバーパネル２４が、放射線に対して透過性を有している。ここから、図４（Ａ）に示されるように、カセッテ１２のカバーパネル２４側に、被写体を透過した放射線（矢印Ｘ）を照射することにより、この放射線Ｘがカバーパネル２４を透過する。これにより、カセッテ１２内の蓄積性蛍光体シート２２には、この放射線に応じた放射線画像情報が記録される。
【００４２】
これに対して、カセッテ１４では、筐体２０を形成するフィルタパネル２８に放射線エネルギー変換用フィルタの機能を持たせている。
【００４３】
カセッテ１４を単体で用いるときには、図４（Ｂ）に示されるように、筐体２０のフィルタパネル２８側に、被写体を透過した放射線（矢印Ｘ）を照射することにより、この放射線Ｘがフィルタパネル２８を通過するときに放射線エネルギー変換が施される。
【００４４】
これにより、カセッテ１４内の蓄積性蛍光体シート２２には、放射線エネルギー変換が施された放射線に応じた放射線画像情報が記録されることになる。
【００４５】
このように、本実施の形態に適用したカセッテ１２、１４では、一方の放射線エネルギー変換用フィルタとして機能するフィルタパネル２８を設けているので、照射される放射線に基づいた放射線画像情報の記録のみでなく、放射線エネルギー変換を施した放射線に応じた放射線画像情報を記録することができる。
【００４６】
一方、組カセッテ１０では、２つのカセッテ１２、１４を重ねて使用する。図４（Ｃ）に示されるように、組カセッテ１０では、カセッテ１２とカセッテ１４とを重ねるときに、カセッテ１４のフィルタパネル２８と、カセッテ１２のバックパネル２６と対向させて重ねて用いる。
【００４７】
このときに、カセッテ１４のカバーパネル２４へ向けて放射線が照射されると、カバーパネル２４を透過した放射線によってカセッテ１４内の蓄積性蛍光体シート２２に、この放射線に応じた放射線画像情報が記録される。
【００４８】
また、カセッテ１２に収容された蓄積性蛍光体シート２２には、カセッテ１４の蓄積性蛍光体シート２２を通過し、さらに、カセッテ１４のフィルタパネル２８及びカセッテ１２のバックパネル２６を通過することにより放射線エネルギー変換が施された放射線が照射され、この放射線によって放射線画像情報が記録される。
【００４９】
これにより、組カセッテ１０では、それぞれが１枚の蓄積性蛍光体シート２２を収容している２つのカセッテ１２、１４を用いて、一つの被写体を通過した放射線によって異なる放射線画像情報を記録することができる。
【００５０】
なお、第１の実施の形態では、カセッテ１２、１４を重ねて用いているが、２つのカセッテ１４を用いてもよい。このときには、図５（Ａ）に示されるように、フィルタパネル２８を重ねるように配置することができる。これにより、２つのフィルタパネル２８を通過した放射線が、一方のカセッテ１４に収容されている蓄積性蛍光体シート２２に照射されるので、この蓄積性蛍光体シート２２には、放射線エネルギーが大きく減衰された放射線画像情報が記録される。
【００５１】
また、２つのカセッテ１４を重ねるときには、それぞれのカセッテ１４のフィルタパネル２８での吸収係数や、Ｋ吸収端を異ならせることができる。
【００５２】
ここで、図５（Ｂ）に示されるように、フィルタパネル２８Ａを設けたカセッテ１４Ａと、フィルタパネル２８Ｂを設けたカセッテ１４Ｂを重ねるときに、カセッテ１４Ａのフィルタパネル２８Ａとカセッテ１４Ｂのフィルタパネル２８Ｂを対向させる。
【００５３】
このときには、カセッテ１４Ａのカバーパネル２４側から照射された放射線が、カバーパネル２４を透過してカセッテ１４内の蓄積性蛍光体シート２２へ照射される。これにより、カセッテ１４Ａ内に収容されている蓄積性蛍光体シート２２には、この放射線に応じた放射線画像情報が記録される。
【００５４】
また、カセッテ１４Ａ内の蓄積性蛍光体シート２２を透過した放射線は、カセッテ１４Ａのフィルタパネル２８Ａを通過した後、カセッテ１４Ｂのフィルタパネル２８Ｂを通過して、カセッテ１４Ｂ内に収容されている蓄積性蛍光体シート２２へ照射される。これにより、カセッテ１４Ｂ内に収容されている蓄積性蛍光体シート２２には、フィルタパネル２８Ａ、２８Ｂのそれぞれで放射線エネルギー変換が施された放射線に応じた放射線画像情報が記録される。
【００５５】
ここで、異なるＫ吸収端を有するフィルタパネル２８Ａ、２８Ｂを透過した放射線は、それぞれのＫ吸収端の間で放射線エネルギーが大きく減衰され、これにより、カセッテ１４Ｂに収容されている蓄積性蛍光体シート２２には、特定の放射線エネルギーが減衰された放射線画像情報が記録される。
【００５６】
このようにして異なる放射線エネルギーを用いて放射線画像情報が記録された２枚の蓄積性蛍光体シート２２を用いることにより、特定の組成の細胞を除いた画像のみでなく、２つの放射線画像情報に対して画像処理を行うことにより、特定の細胞を抽出した画像が得られる。
【００５７】
〔第２の実施の形態〕
次に本発明の第２の実施の形態を説明する。なお、第２の実施の形態の基本的構成は、前記した第１の実施の形態と同じであり、第２の実施の形態において、第１の実施の形態と同等の部品には、同一の符号を付与してその説明を省略する。
【００５８】
図６に示されるように、第２の実施の形態に係る組カセッテ４０では、連結手段として、連結枠４２を用いている。この連結枠４２は、内形が、カセッテ１２、１４の外形に合わせて形成されている。これにより、組カセッテ４０では、連結枠４２内にカセッテ１２、１４が嵌め込まれることにより、カセッテ１２、１４を重ねて保持可能となっている。
【００５９】
このように構成されている組カセッテ４０では、前記した組カセッテ１０と同様にして、カセッテ１２、１４内に収容されている蓄積性蛍光体シート２２のそれぞれに、放射線画像情報を記録することができる。
【００６０】
また、この組カセッテ４０では、カセッテ１２、１４の組み合わせのみでなく、２つのカセッテ１４の組み合わせ、放射線吸収係数ないしＫ吸収端の異なるフィルタパネル２８Ａ、２８Ｂのカセッテ１４Ａ、１４Ｂの組み合わせなどを適用して、２枚の蓄積性蛍光体シート２２のそれぞれに放射線画像情報を記録することができる。
【００６１】
〔第３の実施の形態〕
次に本発明の第３の実施の形態を説明する。なお、第３の実施の形態において、前記した第１又は第２の実施の形態と同等の構成には、同一の符号を付与してその説明を省略する。
【００６２】
図７には、第３の実施の形態に係る組カセッテ５０の概略構成が示されている。この組カセッテ５０では、連結手段として連結枠５２が用いられている。この連結枠５２内には、例えば、銅を用いてシート状に形成した放射線エネルギー変換用フィルタ５４が配置されている。
【００６３】
この組カセッテ５０では、２つのカセッテ１２を用いることができる。このとき、組みカセッテ５０では、連結枠５２の放射線エネルギー変換用フィルタ５４を挟んで２つのカセッテ１２が嵌め込まれる。
【００６４】
これにより、一方のカセッテ１２に放射線が照射されることにより、このカセッテ１２内に収容されている蓄積性蛍光体シート２２には、組カセッテ５０に放射された放射線に応じた放射線画像情報が記録される。
【００６５】
また、組カセッテ５０では、一方のカセッテ１２を通過した放射線が、放射線エネルギー変換用フィルタ５４を通過し、他方のカセッテ１２内に収容されている蓄積性蛍光体シート２２へ照射される。
【００６６】
これにより、組カセッテ５０では、一方のカセッテ１２内の蓄積性蛍光体シート２２に、照射された放射線画像情報が記録され、他方のカセッテ１２内の蓄積性蛍光体シート２２には、放射線エネルギー変換用フィルタ５４を通過することにより放射線エネルギー変換が施された放射線画像情報が記録される。
【００６７】
このような組カセッテ５０は、２つのカセッテ１２の組み合わせのみでなく、カセッテ１２とカセッテ１４の組み合わせなどを適用することができる。このとき、カセッテ１４のフィルタパネル２８と連結枠５２に設けている放射線エネルギー変換用フィルタの吸収特性、Ｋ吸収端などの特性の組み合わせに応じた放射線画像情報を蓄積性蛍光体シート２２に形成することができる。
【００６８】
なお、以上説明した本実施の形態は、本発明の一例を示すものである。例えば、本実施の形態では、カセット１２、１４がカバーパネル２４とバックパネル２６又は、カバーパネル２４とフィルタパネル２８とを分割可能としたが、これに限らず、例えば、側壁３０又は立壁３２を開閉可能として、ここから、蓄積性蛍光体シート２２の取出し及び挿入を行う構成など、１枚の蓄積性蛍光体シート２２を収容する構成であれば、任意の構成を適用することができる。
【００６９】
また、本実施の形態では、連結手段としてクリップ１６、連結枠４２、５２を用いて説明したが、連結手段はこれに限るものではなく、１つのカセッテが一体となるように連結可能であれば、任意の構成を適用することができる。
【図面の簡単な説明】
【００７０】
【図１】第１の実施の形態に係る組カセッテを示す概略斜視図である。
【図２】（Ａ）及び（Ｂ）は組カセッテに用いるカセッテを示す概略斜視図である。
【図３】放射線エネルギーに対する放射線の吸収係数の概略を示す線図である。
【図４】（Ａ）〜（Ｃ）のそれぞれは、カセッテを用いた蓄積性蛍光体シートへの放射線画像情報の記録を示す概略図であり、（Ａ）はフィルタ機能を備えていないカセッテを用いる例を示し、（Ｂ）はフィルタ機能を備えたカセッテを用いる例を示し、（Ｃ）は組カセッテを用いた例を示している。
【図５】（Ａ）及び（Ｂ）は、組カセッテを用いるときの他の配置例を示す概略図である。
【図６】第２の実施の形態に係る組カセッテの構成を示す概略斜視図である。
【図７】第３の実施の形態に係る組カセッテの構成を示す概略斜視図である。
【符号の説明】
【００７１】
１０、４０、５０    組カセッテ
１２    カセッテ（第１のカセッテ）
１４（１４Ａ、１４Ｂ）    カセッテ（第２のカセッテ）
１６    クリップ（連結手段）
１８、２０    筐体
２２    蓄積性蛍光体シート
２４    カバーパネル（第１のパネル）
２６    バックパネル
２８    フィルタパネル（第２のパネル）
４２、５２    連結枠（連結手段）
５４    放射線エネルギー変換用フィルタ
【図１】
2010078672.tif 000003
【図２】
2010078672.tif 000004
【図３】
2010078672.tif 000005
【図４】
2010078672.tif 000006
【図５】
2010078672.tif 000007
【図６】
2010078672.tif 000008
【図７】
2010078672.tif 000009